Podtech/llm-jp-corpus-v4-ja_patent huggingface dataset:
(57)【要約】      （修正有）【課題】簡単にレイアウトを変更出来ることにより、用途におうじて洗濯物をハンガーにつるして仮置きしたり室内干しする際の物干しにも使用できるばかりか必要のない場合は本体側に倒しておけば前面のスペースも確保できることを目的とする。【解決手段】本体（４）左右側面へ支軸（３）によってハンガー掛け支持部（１）を装着し、ハンガー掛け支持部（１）のもう一方をハンガー掛け（２）によって固定する。本体に支持部止め具（４）を装着することによって構成されたハンガー掛け可動式室内物干し。【選択図】図１
0003115003.tif 000002
【実用新案登録請求の範囲】
【請求項１】
本体（４）左右側面へ支軸（３）によってハンガー掛け支持部（１）を装着し、ハンガー掛け支持部（１）のもう一方をハンガー掛け（２）によって固定する。本体に支持部止め具（４）を装着することによって構成されたハンガー掛け可動式室内物干し。
【考案の詳細な説明】
【考案の詳細な説明】
【技術分野】
【０００１】  本案は、おもに洗濯機を囲むように設置して洗濯機の使用をより快適にするためのハンガー掛け付整理棚に関する物である。
【背景技術】
【０００２】  通常の洗濯機を囲むように設置する整理棚いわゆるランドリーボックスにはハンガー掛けが無かったり固定型の物が多く、洗濯物をハンガーにつるして仮置きしたり、室内干しするにはあまり沢山の量が保持出来ないか困難であった。
【考案が解決しようとする課題】
【０００３】  上記従来の技術においては、洗濯物をハンガーにつるして仮置きしたり室内干しするにはあまり沢山の量が保持出来ないか困難であり、別途室内物干し等を用意しなければならないなどの問題点があった。
本考案は、これらの欠点を除くために考案された物である。
【課題を解決するための手段】
【０００４】    本考案は、上記従来例の問題を解決すべく本体（５）左右側面中段部に支軸（３）によってハンガー掛け支持部（１）を装着する。左右のハンガー掛け支持部（１）のもう一方をハンガー掛け（２）によって固定する。支持部止め具（４）を本体に装着する。
以上のような構成よりなるハンガー掛け可動式室内物干し。
【考案を実施するための最良の形態】
【０００５】  本体（４）左右側面中段部に支軸（３）によってハンガー掛け支持部（１）を装着する。左右のハンガー掛け支持部（１）のもう一方をハンガー掛け（２）によって固定する。支持部止め具（４）を本体に装着する。この場合、支持部止め具（４）はハンガー使用時の位置をそれ以上前傾しない位置に装着してある。以上により、支軸（３）を支点としてハンガー掛け（２）が前後に弧を描くように移動し、［図  ２］にあるように用途に応じて、本体側に押し上げたり、前面に倒して使用したりすることが容易にできる。
【実施例】
【０００６】（イ）本体左右側面中段部に支軸（３）によってハンガー掛け支持部（１）を装着する。左右のハンガー掛け支持部（１）のもう一方をハンガー掛け（２）によって固定する。支持部止め具（４）を本体に装着する。この場合、ハンガー掛け（２）は複数使用する事が可能である。
なお、具体的な部材としては次のような物が考えられる。ハンガー掛け支持部（１）ハンガー掛け（２）、本体（５）、バー（６）鉄板、鉄パイプ、プラスティック、支軸（３）、支持部止め具（４）には、鉄棒、リベット、ボルト、ボルトナット、プラスティック。
【考案の効果】
【０００７】  本案は、以上のような構成により、簡単にレイアウトを変更出来ることにより、用途におうじて洗濯物をハンガーにつるして仮置きしたり室内干しする際の物干しにも使用できるばかりか必要のない場合は本体側に倒しておけば前面のスペースも確保できる。
【図面の簡単な説明】
【図１】  本考案の斜視図である。
【図２】  本考案の参考斜視図である。
【符号の説明】
１、ハンガー掛け支持部（１）  ２、ハンガー掛け（２）  ３、支軸（３）  ４、支持部止め具（４）  ５、本体（６）  ６，バー（７）
【図１】
0003115003.tif 000003
【図２】
0003115003.tif 000004
(57)【要約】      （修正有）【課題】樹脂系現像ローラースリーブの再使用頻度を高めることと再使用時の印字品質を高める。【解決手段】一度使用された現像ローラースリーブをサンドペーパー等で研磨することにより使用時に付いた傷や汚れを取り除き均一に研磨することで再使用の頻度を上げ、印字品質を上げることを手段としている。尚、均一に研磨するため、モーターを使用し回転させ、又手作業で研磨することで、一度使用された状態の差を調整する。【選択図】図１
0003115006.tif 000002
【実用新案登録請求の範囲】
【請求項１】
レーザープリンター、複写機の消耗品であるトナーカートリッジ内に組み込まれている部品の非磁性系に用いられる樹脂系スリーブにおいて、サンドペーパーによる手作業により表面研磨処理を行なうことで再利用を可能とした樹脂系スリーブ。
【考案の詳細な説明】
【技術分野】
【０００１】本発明は、電子写真分野においてレーザープリンター、複写機の消耗品であるトナーカートリッジユニットに組み込まれている樹脂系現像ローラースリーブが磨耗劣化、汚れによって品質の低下が見られるものに研磨を施し、再使用を可能とするものであるがサンドペーパー等にて手作業で施すことにより非磁性系に用いられる樹脂系のスリーブに対応するものである。
【背景技術】
【０００２】従来の再生方法の中ではそのまま使用したり溶剤等で拭くなどしたりすることが主流だが、磨耗傷や汚れの酷いものなど再使用出来ない場合が多く、再使用率を下げる原因となっている。【０００３】一度使用された状態のまま再使用した場合、磨耗状態や汚れ具合が個体により同じ状態ではないため印字品質に差が発生する。
【考案の開示】
【考案が解決しようとする課題】
【０００４】解決しようとする問題点は樹脂系現像ローラースリーブの再使用の際の印字品質を上げることと、樹脂系スリーブの再使用を可能とすることが課題となる。
【課題を解決するための手段】
【０００５】本発明は樹脂系スリーブを軸に通した状態で回転させ、サンドペーパー等により研磨することでスリーブの状態を確認しながら再使用できる状態へ施工できることを手段とする。
【考案の効果】
【０００６】本発明により従来限られていた再利用ライフを伸ばすことが可能となり、トナーカートリッジの再生産回数を増やすことが可能となる。
又、スリーブの選別等により廃棄されていたカートリッジも再生産出来ることから、廃棄される量が低下することとコストパフォーマンス効果が得られる。
【考案を実施するための最良の形態】
【０００７】モーターにチャックが取り付けられた装置に現像ローラースリーブを現像ローラーユニットごと取り付け回転させる。
そのときチャックと反対側は現像ローラーがぶれない様に支えを付けておく。
回転させた現像ローラーにサンドペーパーを空回りしない程度に当て、研磨する。
モーターは速度調整できるものが望ましく、状態により速度を調整する。
使用するサンドペーパーは状態により４００番〜１５００番程度のものを状態により変更し使用する。
【実施例１】
【０００８】以下、図面に従って一実例の説明を行う。
▲１▼の現像ローラーユニットを▲２▼の現像ローラースリーブが付いた状態で▲３▼のモーターがセットされた▲４▼のチャックにセットする。
▲５▼の受け軸に現像ローラーユニットの反対側をセットし回転によるぶれを防ぎ、回転させる。
【実施例２】
【０００９】現像ローラースリーブの下側から▲６▼のサンドペーパーをあてがい、ゆっくりと▲７▼の方向へスライドさせていく。
このときに状態を見ながらスライドの速さとサンドペーパーをあてがう力を調整する。
【図面の簡単な説明】
【００１０】
【図１】チャックを取り付けた状態の現像ローラースリーブと施工の内容を示した横面図
【符号の説明】
【００１１】▲１▼現像ローラーユニット
▲２▼現像ローラースリーブ
▲３▼回転モーター
▲４▼モーターとの接続チャック
▲５▼受軸
▲６▼サンドペーパー
▲７▼研磨方向
【図１】
0003115006.tif 000003
(57)【要約】      （修正有）【課題】軟弱地盤（たんぼ）上に建築物が築造できる杭と基礎及び支持部を一体化した基礎ブロックを提供する。【解決手段】柱支持部２、基礎安定部３、杭部４を一体形を形成する独立基礎で軟弱地盤（たんぼ）上に建築物の築造の基礎とし用いる。杭部４の支持杭１７は、事前のサウディング試験にて地盤の強度を確認し長さを決定する。基礎安定部３は軟弱地盤（たんぼ）の深さにて高さを決定し、倒立推形体の錐面部１６の傾斜角度を４５°とすることで胴体部分の表面積を広くすることで、その支持力を大きくする効果を有する。柱支持部２に、定着アンカー１２を埋め込むことで建築物の支持及び基礎ブロック１打設を可能にし、杭の支持ができた。柱支持部２に、打設部油圧チャック用金物を装着しバイブロハンマーにより所定の位置へ基礎ブロック１を打設する。打設後、油圧チャック用金物を取外し、定着アンカー１２に建築物を支持する。【選択図】図２
0003115005.tif 000002
【実用新案登録請求の範囲】
【請求項１】
柱支持部、基礎安定部、杭部を有し、杭と基礎が一体形を形成していることを特徴とする軟弱地盤用基礎ブロック。
【請求項２】
軟弱層に対応する杭と倒立推形体の基礎を一体とする請求項１に記載の軟弱地盤用基礎ブロック。
【請求項３】
倒立推形体基礎上部に柱支持アンカーを有する支持部を一体とする請求項１または２に記載の軟弱地盤用基礎ブロック。
【請求項４】
柱支持部に油圧チャック用金物を装着し、バイブロハンマー工法にて打設できる請求項１から３に記載の軟弱地盤用基礎ブロック。
【考案の詳細な説明】
【技術分野】
【０００１】  本考案は、軟弱地盤（たんぼ）上にビニールハウス等の建築物を築造する為の軟弱地盤用基礎ブロックに関する。
【背景技術】
【０００２】  一般的には、軟弱地盤（たんぼ）上には、建築物を築造しないのが常識であり、有効な基礎ブロックも無い。【０００３】  軟弱地盤上に建築物を築造する場合、地表層が軟弱なため不同沈下が生じるおそれがあるため地盤安定処理、及び基礎を支持する必要がある。
【特許文献１】  特開平８−３２６０４６号  公報
【考案の開示】
【考案が解決しようとする課題】
【０００４】  以上に述べた従来の常識や工法だと、軟弱地盤（たんぼ）上に建築物を築造する場合、地盤安定の処理が必要であるが地表層全体を安定処理すると、たんぼとして使用できない。【０００５】  本考案は、このような従来の常識や工法が有していた問題を解決しようとするものであり、軟弱地盤（たんぼ）上に軟弱地盤用基礎ブロックを使用し建築物の築造を実現することを目的とする。
【課題を解決するための手段】
【０００６】  そして、本考案は上記目的を達成するために基礎を支持する杭部と軟弱地盤での安定を確保する倒立推形体の基礎を一体化することで地表層全体を安定処理することなく独立基礎での建築物の築造を可能にした。【０００７】  また、倒立推形体基礎上部に柱支持アンカーを有する支持部に油圧チャック用金物を装着し、バイブロハンマー工法を可能にすることにより杭部の支持地盤への打設を可能にした。
【考案の効果】
【０００８】  本考案に係る軟弱地盤用基礎ブロックを使用することで、軟弱地盤（たんぼ）上で建築物の築造を可能にし、独立基礎としても優れたものである。
【考案を実施するための最良の形態】
【０００９】  事前に現況地盤の調査を行い柱支持部、基礎安定部、杭部の寸法を決定し軟弱地盤用基礎ブロックを製作する。現場で遣り方を行い基礎の位置出しを行う。柱支持アンカーを有する支持部に油圧チャック用金物を装着し、クレーン車を使用してバイブロハンマーにより所定の位置へ軟弱地盤用基礎ブロックを所定の深さまで打設する。打設完了後油圧チャック用金物を取外し建築物の築造を行う。
【実施例】
【００１０】  以下、添付図面に従って一実施例を説明する。ここに図１〜図８は、本考案の軟弱地盤用基礎ブロックの一実施例を示し、図１は平面図、図２は図１の正面図、図３は油圧チャック用金物装着平面図、図４は図３の正面図、図５は図１，図３の裏面図、図６はバイブロハンマー装着図、図７は基礎ブロック打設図、図８は基礎ブロックを打設した状態を示す地盤等の断面図及び築造の全体図である。【００１１】  本実施例の軟弱地盤用基礎ブロックは、概略すると柱支持部２、基礎安定部３、杭部４を一体形を形成する独立基礎で軟弱地盤（たんぼ）上に建築物の築造の基礎とし用いる。【００１２】  杭部４の支持杭１７は、事前のサウディング試験にて地盤の強度を確認し長さを決定しる。【００１３】  基礎安定部３は軟弱地盤（たんぼ）の深さにて高さを決定し、倒立推形体の錐面部１６の傾斜角度を４５°とすることで胴体部分の表面積を広くすることで、その支持力を大きくする効果を有する。【００１４】  柱支持部２に、定着アンカー１２を埋め込むことで建築物の支持及び基礎ブロック１打設を可能にし、杭の支持ができた。【００１５】  柱支持部２に、打設部５油圧チャック用金物１９を装着しバイブロハンマーにより所定の位置へ基礎ブロック１を打設する。打設後、油圧チャック用金物１９を取外し、定着アンカー１２に建築物を支持する。
【図面の簡単な説明】
【００１６】
【図１】本考案の軟弱地盤用基礎ブロックの一実施例を示す平面図である。
【図２】図１の正面図である。
【図３】油圧チャック用金物装着平面図である。
【図４】図３の正面図である。
【図５】図１，図３の裏面図である。
【図６】バイブロハンマー装着図である。
【図７】基礎ブロック打設図である。
【図８】基礎ブロックを打設した状態を示す地盤等の断面図及び築造の全体図である。
【符号の説明】
【００１７】  １  軟弱地盤用基礎ブロック
２  柱支持部
３  基礎安定部
４  杭部
５  打設部
６  建築物
７  軟弱地盤（たんぼ）
８  支持地盤
９  バイブロハンマー
１０  クレーン車
１１  柱支持上部
１２  定着アンカー
１３  柱支持側部
１４  倒立錐形体上部
１５  倒立錐形体調整部
１６  倒立錐形体錐面
１７  支持杭
１８  支持杭頭部
１９  油圧チャック用金物
２０  ナット
２１  油圧チャック用金物ＢＰ
【図１】
0003115005.tif 000003
【図２】
0003115005.tif 000004
【図３】
0003115005.tif 000005
【図４】
0003115005.tif 000006
【図５】
0003115005.tif 000007
【図６】
0003115005.tif 000008
【図７】
0003115005.tif 000009
【図８】
0003115005.tif 000010
(57)【要約】      （修正有）【課題】座り姿態を安定して保つことができる人形（女児姿市松人形）を提供する。【解決手段】人形胴が着装している人形衣裳に縫付けられ、該衣裳の胸回りに巻装される帯部の帯山の結び目のところから、該帯部の両端を長く垂れ下がるように結び、人形の背部にダラリの帯状部を形成し、該ダラリの帯状部が人形の座り姿態を形成するための支えとなるようにしたことを特徴とする。人形は女児姿の座り市松人形を形成する。【選択図】図２
0003115008.tif 000002
【実用新案登録請求の範囲】
【請求項１】
人形胴が着装している人形衣裳に縫付けられ、該衣裳の胸回りに巻装される帯部の帯山の結び目のところから、該帯部の両端を長く垂れ下がるように結び、人形の背部にダラリの帯状部を形成し、該ダラリの帯状部を人形の座り姿態を形成するための支えとなるように形成したことを特徴とする人形。
【請求項２】
前記人形は、女児姿の座り市松人形であることを特徴とする請求項１記載の人形。
【考案の詳細な説明】
【考案の詳細な説明】
【技術分野】
【０００１】  本考案は室内の装飾、愛玩、節句用ひな段飾り等に用いられる人形に関するものである。【０００２】  本考案の実施例説明において、人形とは、女児姿の市松人形を示す。
【背景技術】
【０００３】  通常、女児姿の市松人形（以下、人形と称する。）は、人形胴に振袖などの衣裳を着装させ、例えば唐木材などで形成した台座の上面に取付けられ、立設されて立ち姿を形成している。そのため、この種の立ち姿人形にあっては、座り姿に形成することができないという不都合があった。【０００４】  そこで、従来、この種の女児姿人形を座り姿に形成するための手段として、人形胴に重しを装入したり、或いは人形胴の尻部の形状を座り易い形状に形取りすることが試みられているが、このような手段は、人形胴の製作を複雑化させ、人形の製作コスト高につながるという難点があった。【０００５】  また、最近では、人形付属品としてのミニチュア椅子に人形を凭座させ、人形を座り姿にする工夫が採用されている。
然し、前記のような座り飾り形態にあっては、時として、人形自体が椅子の上を前後、左右方向に擦動したり、或いは、傾倒するといった使用上の問題点があった。
【考案の開示】
【考案が解決しようとする課題】
【０００６】  そこで、本考案者は、前述のような問題点を解消することができる新規な構成の人形を開発した。【０００７】  詳しくは、本考案の目的は、人形の座り姿を恒常的かつ、安定的に保つことができる機能性を具備した人形（女児姿の座り市松人形）を提供しようとするものである。
【課題を解決するための手段】
【０００８】  前記目的を達成するために、本考案に係る人形は、人形胴が着装している人形衣裳に縫付けられ、該衣裳の胸回りに巻装される帯部の帯山の結び目のところから、該帯部の両端を長く垂れ下がるように結び、人形の背部にダラリの帯状部を形成し、該ダラリの帯状部が人形の座り姿を形成する場合の支えとなるようにしたことを特徴とする。
【考案の効果】
【０００９】  本考案に係る人形は、人形胴が着装している人形衣裳に縫付けられ、該衣裳の胸回りに巻装される帯部の帯山の結び目のところから、該帯部の両端を長く垂れ下がるように結び、人形の背部にダラリの帯状部を形成することで、該ダラリの帯状部が人形の座り姿を形成する場合の支えとなり、人形載置面に、人形を恒常的かつ、安定的な座り飾り形態に保って配置することができると共に、前記した従来の座り姿人形形成手段に比して、座り姿の人形飾り形成をすこぶる簡単かつ、端正にに行うことができる。
また、本考案品は、室内の装飾はもちろんのこと、節句用ひな段飾り等に添えて使用することにより、人形の審美性を深めることができ、しかも、人形の背部にダラリの帯状部を形成したので、着者に新趣向感を印象付け、従来の女児姿市松人形に比し、一段と装飾性の向上した市松人形を得ることができる等の効果を奏する考案である。
【考案を実施するための最良の形態】
【００１０】  図１は本考案に係る人形の一実施例を示す斜視図であり、図２は本考案に係る人形の背部を示す斜視図であって、以下、添付図面を参照して本考案の構成について説明する。【００１１】  図１を参照すると、本考案による人形１は、女児姿の市松人形を示し、図面符号２は人形胴に着装される人形衣裳を示し、該人形衣裳２の胴回りに帯部３が縫付けられて巻装され、図２に示す如く、該帯部３の帯山（帯の後で結んだ部分）のところから帯部３の両端を長く垂れ下がるように結び、人形１の背部においてダラリの帯状部４を形成する。なお、帯部３は、袋縫いされた金襴帯地の中に硬目の芯紙等の補強片（図示しない。）を縫合したものであり、前記ダラリの帯状部４の保形を可能にしている。【００１２】  そして、前部ダラリの帯状部４は、人形１の座り姿を形成するための支え機能を果たすと同時に、人形１の座り姿飾り形態を恒常的かつ、安定的に保つことができる。また、人形１の座り姿態を華美に仕立てることができる。
【図面の簡単な説明】
【００１３】
【図１】  本考案による人形の一実施例を示す斜視図である。
【図２】  本考案による人形の背部の斜視図である。
【符号の説明】
１    人形
２    人形衣裳
３    帯部
４    ダラリの帯状部
【図１】
0003115008.tif 000003
【図２】
0003115008.tif 000004
(57)【要約】【目的】傘の先端部分にカラビナのようなバネ開閉式環金具を装着し、傘の先端部を上にして物干し竿やワイヤーロープにワンタッチで引っ掛けられる機能を持たせることで、傘の内側が濡れることの防止や干す際の利便性、折りたたみ傘携行時の利便性の向上をはかる。更に、開閉部に鍵を付加することで盗難防止機能をも持たせる。【構成】先端部に物干し竿や手すりを通せる位の大きさを有する、吊り下げ用開閉環金具を装着した傘。【選択図】図１
0003115007.tif 000002
【実用新案登録請求の範囲】
【請求項１】
先端部に物干し竿や手すりを通せる位の大きさを有する、吊り下げ用開閉環金具を装着した傘。
【考案の詳細な説明】
【技術分野】
【０００１】本案は折りたたみの物も含む雨傘・日傘で、使用時の一時置きの際に内側を濡らすことなく、また使用後の乾燥作業時に邪魔にならず、風に飛ばされないよう吊り下げるための装置・機能を持つとともに、携行時の利便性やファッション性のある傘に関するものである。
【背景技術】
【０００２】従来の雨傘・日傘は一時置きや収納の際、専用の傘立てが無い場合は、原則として先端部分を下にし、柄（概ねフック状になっている）の部分を利用して吊り下げる方法が一般的であるが、職場や学校などで降雨時の一時置きの場所が雨の降込む所であったり、多くの傘を密集して置く所であったりすると、傘の内側が濡れてしまう事が少なからずある。【０００３】また、使用後に傘を干す場合も、柄の部分のフックを利用し、物干し竿等に吊り下げる方法が一見都合良く一般的であるが、この方法では開く部分が低い位置になり結構邪魔であったり、チョットした突風で飛ばされてしまったりと、決して干す場合の利便性を考慮しているとは言い難い。【０００４】従来の傘は、傘自体には盗難防止機能がついておらず、傘立ての方の施錠機能等で盗難防止がなされているため、その様な傘立てが無い場所では、盗難されたくなければ手元に置くしか手段が無いのが現状である。【０００５】折りたたみの傘に関していえば、柄の部分がフック状になっているものは殆ど無く、干す場合は開いた状態で床に直置きするのが一般的であるが、この方法では明らかに邪魔である。【０００６】また折りたたみ傘の場合、使用しない時はコンパクトであるにも拘らず、バッグ等を持っていなければ常に手に持っていなければならない面倒さがある。
【考案の開示】
【考案が解決しようとする課題】
【０００７】上記のような従来の傘での問題点に関し、傘の先端部分に改良機能を持たせるところに課題の解決がある。
【課題を解決しようとする手段】
【０００８】本案件に係わる傘は、先端部に物干し竿や手すりを通せる位の大きさを有する、吊り下げ用開閉環金具を装着したものである。
【考案の効果】
【０００９】本案の改良が施された傘は、降雨時に一時置きする場合、多少雨の降込みがあっても、先端を上にして吊り下げることが可能なため傘の内側が濡れない。
【００１０】また、使用後、物干し竿等に干す場合でも、ワンタッチで竿に引っ掛けることができ、先端を上にして干せるため、開いた状態でもそれ程邪魔にならず、また、竿に環留めされるため、強風でも飛ばされる心配が無い。特に、折りたたみ傘は柄を利用して吊り下げることすら出来ない場合が多く、この機能は非常に重宝する。
【００１１】更に、バネ式開閉部に施錠機能を持たせれば、職場や学校でも物干し竿やワイヤーロープ（両端を固定する必要あり）を用意することで、高価な鍵付き傘立てを購入しなくても盗難防止がはかれる。
【００１２】本案改良が施された折りたたみ傘の場合、使用してない時はカバン等の外側にぶら下げて携行することができ便利である。また、カバン等を持っていない場合でもジーパンのベルト通しにぶら下げることもでき、手をふさがれることも無い。
本案改良部分の開閉環金具（カラビナ）はキーホルダーに利用されるなど、現在では登山用等の特殊なアイテムではなくなっており、カラーや形状のバリエーションも多く、この機能と形状を得ることで傘は更にファッション性に富んだ生活アイテムに変身する。
【考案を実施するための最良の形態】
【００１３】傘の先端部分がバネ式開閉環金具（形状は多種あり）になっており、手すりや物干し竿、ワイヤーロープ等にワンタッチで吊り下げることができる。【００１４】傘の先端を上にして吊り下げることができるので内側が濡れない。また、干す際に傘を開いた状態にしても高い位置で拡がるので、それ程邪魔にならないし、少々強い風でも飛ばされる心配が無い。【００１５】従来、引っ掛けることができなかった折りたたみ傘においても、一時置きや干す際に、物干し竿やワイヤーロープ等にワンタッチで吊り下げることができるし、保管や携行時にもカバンの外側やジーパンのベルト通しに引っ掛けることができ、利便性・ファッション性に優れる。
【図面の簡単な説明】
【図１】傘の全体図である。
【図２】本案機能を有する先端部分の図である。
【図３】本案機能を有する傘を物干し竿に吊るした状態を示した図である。
【図４】折りたたみ傘に本案機能を取付けた場合のイメージ図である。
【図５】本案機能にて傘先端の開閉環金具部に物干し竿を通す際の、バネ式開閉部が開閉する状態を示した連続図である。
【図１】
0003115007.tif 000003
【図２】
0003115007.tif 000004
【図３】
0003115007.tif 000005
【図４】
0003115007.tif 000006
【図５】
0003115007.tif 000007
(57)【要約】【課題】景品収納部付きの包装箱において、景品を容易に取り出せるようにする。【解決手段】側板１，２を連設して角柱状の周壁を形成し、底面及び天面を閉じ、下方に商品収納部１１を、上方に景品収納部１２をそれぞれ設けた景品収納部付き包装箱において、周壁をなす側板１，２に切裂帯９を巡らせて、切裂帯９の上方に景品収納部１２を位置させ、切裂帯９の切断に伴い、景品収納部１２が商品収納部１１から分離すると、商品収納部１１の上端が開口すると共に、景品収納部１２の底面が開くようにする。【選択図】図３
0003115066.tif 000002
【実用新案登録請求の範囲】
【請求項１】
側板１，２を連設して角柱状の周壁を形成し、底面及び天面を閉じ、下方に商品収納部１１を、上方に景品収納部１２をそれぞれ設けた景品収納部付き包装箱において、周壁をなす側板１，２に切裂帯９を巡らせて、切裂帯９の上方に景品収納部１２を位置させ、切裂帯９の切断に伴い、景品収納部１２が商品収納部１１から分離するようにしたことを特徴とする景品収納部付き包装箱。
【考案の詳細な説明】
【技術分野】
【０００１】
この考案は、商品に付属させる景品の収納部を備えた包装箱に関するものである。
【背景技術】
【０００２】
従来、商品の販売促進キャンペーン等のため、商品に景品を付属させる際には、側板を繋いで角柱状の周壁を形成し、底面を底板で閉止して、下方部分に商品を収納し、内箱に入った景品を商品の上に載せるように収納して、天面を蓋板で閉止する包装箱が使用されている。この包装箱から景品を取り出す際には、蓋板を開いて、景品を上方へ引き出す。
【考案の開示】
【考案が解決しようとする課題】
【０００３】
しかしながら、上記のような包装箱では、景品を取り出す際、蓋板を開いても内箱と包装箱の間に指が入らず、内箱が取り出しにくいという問題がある。
【０００４】
そこで、この考案は、景品の取り出しが容易な景品収納部付き包装箱を提供することを課題とする。
【課題を解決するための手段】
【０００５】
上記課題を解決するため、この考案は、側板を連設して角柱状の周壁を形成し、底面及び天面を閉じ、下方に商品収納部を、上方に景品収納部をそれぞれ設けた景品収納部付き包装箱において、周壁をなす側板に切裂帯を巡らせて、切裂帯の上方に景品収納部を位置させ、切裂帯の切断に伴い、景品収納部が商品収納部から分離するようにしたのである。
【考案の効果】
【０００６】
このような包装箱では、開封時に切裂帯を切断し、景品収納部を商品収納部から分離すると、商品収納部の上端が開口すると共に、景品収納部の底面が開くので、景品を容易に取り出すことができる。
【考案を実施するための最良の形態】
【０００７】
以下、この考案の実施の形態を添付図面に基づいて説明する。
【０００８】
この包装箱のブランクでは、図１に示すように、各一対の側板１，２が連設され、一端の側板１の外側に継代片３が連設されている。側板２の下縁には底板４が、側板１の下縁には底板５がそれぞれ連設され、側板２の上縁には蓋受片６が、中間の側板１の上縁には蓋板７及び差込片８が順次連設されている。
【０００９】
各一対の側板１，２及び継代片３には、ジッパ形の切裂帯９が設けられ、側板１の中央部には、内部の商品を見せる円形の窓穴１０が形成されている。
【００１０】
上記のようなブランクを組み立てるには、図２に示すように、各一対の側板１，２を角柱状をに折り曲げ、継代片３を反対側の側板２に貼り付けて周壁を形成し、底板４，５を一組ずつ貼り合わせ、底板５同士を噛み合わせて底面を閉止する。
【００１１】
そして、下方の商品収納部１１に飲料瓶Ｂを収納し、上方の景品収納部１２に景品Ｃの入った内箱１３を収納する。このとき、内箱１３は飲料瓶Ｂで支持される。
【００１２】
その後、蓋受片６を内側へ折り曲げ、蓋板７を閉じ、差込片８を箱内に差し込んで、図３に示すように封緘する。
【００１３】
このような封緘状態で包装箱を陳列すると、飲料瓶Ｂの胴部が窓穴１０から直接見えるので、購買意欲を喚起できる。また、切裂帯９を切断して開封しない限り、景品Ｃの内箱１３が抜き取られることはない。
【００１４】
一方、この包装箱から飲料瓶Ｂ及び景品Ｃの内箱１３を取り出す際には、図４及び図５に示すように、切裂帯９を全周に亘って切断すると、商品収納部１１と景品収納部１２とが分離する。
【００１５】
これに伴い、商品収納部１１の上端が開口するので、飲料瓶Ｂを上方へ持ち上げて取り出すことができる。また、景品収納部１２の下端も開口して、内箱１３が自重で下降するので、内箱１３に入った景品Ｃを容易に取り出すことができる。
【００１６】
そのほか、上記のような構成の包装箱において、図６及び図７に示すように、窓穴１０の形状を飲料瓶Ｂのラベルデザイン等に合わせて変形させると、陳列時の訴求効果を高めることができる。
【図面の簡単な説明】
【００１７】
【図１】この考案の実施形態に係る景品収納部付き包装箱のブランクを示す図
【図２】同上の封緘前の状態を示す斜視図
【図３】同上の封緘状態を示す斜視図
【図４】同上の開封過程を示す斜視図
【図５】同上の開封状態を示す斜視図
【図６】同上の窓穴の形状が異なる実施形態の封緘状態を示す斜視図
【図７】同上の窓穴の形状が異なる実施形態の封緘状態を示す斜視図
【符号の説明】
【００１８】
１，２  側板
３  継代片
４，５  底板
６  蓋受片
７  蓋板
８  差込片
９  切裂帯
１０  窓穴
１１  商品収納部
１２  景品収納部
１３  内箱
Ｂ  飲料瓶
Ｃ  景品
【図１】
0003115066.tif 000003
【図２】
0003115066.tif 000004
【図３】
0003115066.tif 000005
【図４】
0003115066.tif 000006
【図５】
0003115066.tif 000007
【図６】
0003115066.tif 000008
【図７】
0003115066.tif 000009
(57)【要約】【課題】木造架構において柱と土台及び基礎を確実に緊結する接合金物を簡単な加工で安価に提供する。【解決手段】主板Ｐと座金たる副板Ｗからなる接合金物を、溶接を介することなく組み立て、土台と柱に加工されたスリットに主板Ｐを挿入し、座金たる副板をアンカーボルトで締め付けるとともに、土台及び柱にドリフトピンで固定することにより、柱の鉛直荷重を土台に伝達し、併せて柱の引き抜き力を確実に基礎に伝達させる。【選択図】図５
0003115068.tif 000002
【実用新案登録請求の範囲】
【請求項１】
木造軸組の土台及び基礎と柱の接合部において、柱の荷重を土台及び基礎に確実に伝達させる機構を、土台と柱に連続して挿入されドリフトピンにより固定される主板と、アンカーボルトの座金として利用され土台と主板を基礎に固定する役割を担う副板を、溶接を介することなく組み立てることにより実現することを特徴とする接合金物
【考案の詳細な説明】
【技術分野】
【０００１】
本考案は、木造軸組において柱脚を基礎と土台に緊結する金物に関するものである。
【背景技術】
【０００２】
木造軸組における柱脚を、金物を使用して基礎と土台に接合する方式は、軸組架構が地震などによる水平荷重を受けた場合の引き抜き力を確実に基礎に伝達する機構として採用されているが、鋼板挿入型と呼ばれる接合金物の多くは、基礎又は土台の上に接する底板と称する鋼板に、柱脚に挿入される挿入板と称する鋼板を溶接により組み立て、底板にあけられたボルト穴にアンカーボルトを貫入固定することにより成立している。
【０００３】
溶接によって形成された金物の場合、工数の増加に伴い金物の価格が上昇する。また、製品形状が立体的であることにより、在庫や流通により大きな空間を必要とする。
【考案の開示】
【考案が解決しようとする課題】
【０００４】
本考案が解決しようとする課題は、柱脚を固定するとともに、柱脚に発生する引き抜き力を基礎に確実に伝達する機構を、特殊な工具を必要としない木材加工と、溶接を用いない金属板の組み立てによる低価格の金物で提供することである。
【課題を解決するための手段】
【０００５】
本考案は、柱脚の荷重を土台及び基礎に伝達する接合金物を、適切に切削加工された金属板を溶接なしに組み立てることにより実現することを特徴とする。
【０００６】
通常時の柱には鉛直下向きの荷重が作用しており、その荷重は、基礎に緊結された土台上面に柱の下面が接することにより、面圧として土台に伝達される。この場合、土台と柱は、土台と柱に連続して挿入される主板に、柱もしくは土台と主板を貫通するドリフトピンを挿入することによって緊結される。
【０００７】
地震や風による水平荷重が作用する時の柱には鉛直上向きの荷重が作用する場合があり、その荷重を基礎に伝達する機構は、主板と、アンカーボルトの座金である副板を組み合わせて配置し、ナットで固定することにより実現される。
【考案の効果】
【０００８】
本考案の接合金物は、主板、副板、及びドリフトピンの組み合わせで構成される。主板を土台に挿入するとともに、副板を主板の欠き取り部分に嵌め合わせ、アンカーボルトにナットで固定し、土台と主板をドリフトピンで固定することにより、柱の荷重を土台及び基礎に伝達することができる。結果、溶接によって組み立てられた金物に比して、作業工数が減少することによる製造コストの低減が見込まれることにあわせて、荷姿容積が縮小することによる在庫及び流通コストの低減が見込まれ、総合的に金物価格の抑制に効果がある。
【考案を実施するための最良の形態】
【０００９】
木造架構における柱と土台及び基礎の金物による接合を簡単で確実にしかも低コストで成立させるという目的を、金物の製作においては溶接に依存せず、木材の加工においては特別な技術技能を不要とすると共に市販の工具を応用することにより実現した。
【実施例】
【００１０】
図１は、接合金物における、主板Ｐと座金たる副板Ｗの加工形状と組み合わせの例を示すと共に、出隅における土台の加工内容を示したものである。主板Ｐには、四隅にドリフトピン挿入用の穴と、アンカーボルトをかわし座金たる副板Ｗを取り付けるためのＴ字形の切欠きが設けられる。座金たる副板Ｗには、アンカーボルト挿入用の穴と、主板を挟み込むための切り欠きが設けられる。土台Ｄ１と土台Ｄ２は合欠きとしアンカーボルト貫通用穴Ｈａｂがあけられ、土台Ｄ２には主板Ｐを挿入するスリットＳｄ、座金たる副番Ｗの厚み分の座掘Ｚｄ及びドリフトピン貫通用穴Ｈｄが加工される。
【００１１】
図２は、土台に接合金物が取り付けられた状況を示したものである。土台Ｄ２のスリットＳｄに主板Ｐを挿入し、ドリフトピンＤＰにより固定すると共に、座金たる副板Ｗを取り付けナットＮで締め付けることにより接合金物の土台への取り付けが完了する。柱に発生する引き抜き力は、主板Ｐから座金たる副番Ｗを経由してアンカーボルトＡＢへと伝達される。
【００１２】
図３は、土台に固定された接合金物の状況と、柱Ｃの加工状況を示したものである。柱Ｃには、主板Ｐが挿入されるスリットＳｃ、ドリフトピン貫通用の穴Ｈｃ及びアンカーボルトの頂部を挿入するための座掘Ｚｃが加工される。
【００１３】
図４は、柱Ｃの固定方法を示したものである。柱Ｃを土台に固定された主板Ｐが柱に加工されたスリットＳｃに挿入されるように建て込み、ドリフトピンＤＰを貫通させることにより、柱の固定が完了する。
【００１４】
図５は、接合金物を介して、基礎、土台及び柱の接合が完了した状況を示したものである。
【産業上の利用可能性】
【００１５】
以上に説明したとおり、本考案の接合金物は、応力伝達の機構が合理的であること、予め加工された金属板とドリフトピン又はアンカーボルトの組合せで構成されるものであり規格化が容易であること、板状のままでの在庫流通が可能であること、柱もしくは土台の加工がスリットと穴あけという特別な技能を必要としないものであることなどの利点を持つことから、木造軸組の施工に関してコストの低減が見込まれる。
【図面の簡単な説明】
【００１６】
【図１】本考案にかかる接合金物の組合せと土台の加工状態を示す斜視図である
【図２】土台への接合金物の取り付け状態を示した斜視図である
【図３】柱の加工状態と建て込み手順を示した斜視図である
【図４】柱の建て込み状態と固定手順を示した斜視図である
【図５】土台及び柱の接合金物を介した接合が完了した状態を示した斜視図である
【符号の説明】
【００１７】
Ｃ：柱
Ｓｃ：柱に加工された主板挿入用のスリット
Ｈｃ：柱にあけられたドリフトピン貫通用孔
Ｚｃ：柱に加工されたアンカーボルト頂部の挿入用座掘
Ｄ１、Ｄ２：土台
Ｓｄ：土台に加工された主板挿入用のスリット
Ｈａｂ：土台にあけられたアンカーボルト貫通用孔
Ｈｄ：土台にあけられたドリフトピン貫通用孔
Ｐ：主板
Ｈｐ：主板に加工されたドリフトピン貫通用孔
Ｗ：座金たる副番
ＡＢ：アンカーボルト
ＤＰ：ドリフトピン
Ｎ：ナット
【図１】
0003115068.tif 000003
【図２】
0003115068.tif 000004
【図３】
0003115068.tif 000005
【図４】
0003115068.tif 000006
【図５】
0003115068.tif 000007
(57)【要約】      （修正有）【課題】防虫ネットに絵柄、模様を付加したので、網戸の内側にカーテンを引く必要がなく、通気性を損なうことなく、和らぎのある室内空間を創生することが出来る絵柄入り防虫ネットの提供。【解決手段】防虫ネット２に花、果物、動物等の絵柄（３）を入れる。絵柄は、編みこみ、印刷、貼り付け等による。【選択図】図１
0003115271.tif 000002
【実用新案登録請求の範囲】
【請求項１】
ネットに絵柄、模様を印刷、あるいは織り込んだことを特徴とする防虫ネット。
【請求項２】
前記絵柄、模様を印刷、あるいは織り込んだ防虫ネットを用いた防虫網戸。
【考案の詳細な説明】
【技術分野】
【０００１】この考案は、防虫網戸等の防虫ネントの形状に関する。
【背景技術】
【０００２】従来の防虫網戸等に用いられている防虫ネットは、ポリエステル、グラスファイバー等の繊維を網状に織り込んだものであり、図２に示すように、防虫ネットに絵柄、模様が施されていない。
【考案の開示】
【考案が解決しようとする課題】
【０００３】したがって、以上の技術によれば、
（１）網戸に風情がなく、室内からの外観に和らぎが認められない。
（２）網戸だけにすると、心理的に室内が丸見え状態に感じ、網戸の内側にカーテンを引く必要がある。
（３）網戸の内側にカーテンを引くことにより通気性が悪くなり、部屋が狭く感じる。
等の不都合がある。
そこで、この考案は、上記不都合を解決するための防虫ネットを提供することを課題とする。
【課題を解決するための手段】
【０００４】以上の課題を解決するために、第一考案は、網戸の防虫ネットに絵柄、模様を付加することを特徴とする防虫ネットである。
【考案の効果】
【０００５】第一考案によれば、防虫ネットに絵柄、模様を付加したので、網戸の内側にカーテンを引く必要がなく、通気性を損なうことなく、和らぎのある室内空間を創生することが出来る。
【考案を実施するための最良の形態】
【０００６】この考案の一実施形態を、図１に示す。
防虫網戸の防虫ネット２は、ポリエステル、ガラスファイバー製でり、防虫ネット２の表面には、絵柄３が印刷、あるいは編みこまれている。【０００７】「実施形態の効果」
この実施形態によれば、防虫ネット表面に絵柄が入っていることにより、防虫網戸の内側にカーテン引くことなく、カーテンを引いている状態と同等の心理状態を保つことが出来、室内の和らぎを創生することが出来る。【０００８】「他の実施形態」
図１の実施形態では、防虫ネットに絵柄を印刷、あるいは編みこんでいたが、他の実施形態では、絵柄、模様を貼り付けたものでも良い。
【図面の簡単な説明】
【０００９】
【図１】この考案の一実施形態を示す斜視図である。
【図２】従来技術を示す斜視図である。
【符号の説明】
【００１０】  １  防虫網戸本体            ２  防虫ネット
３  模様
【図１】
0003115271.tif 000003
【図２】
0003115271.tif 000004
(57)【要約】      （修正有）【課題】従来のハンドパペットで食べる動作をする場合、操作する者がパペットの口をパクパク開閉させる等の演じ手の技量が必要で難しかった。本考案は誰でも場所を選ばず手軽にハンドパペットが食べたように見せられるように、単純な構造にする。【解決手段】従来の手指によって口部が開閉するハンドパペットの口部構造は、口部上部と口部下部が中折れできるような芯地を使い一体的に形成されている。本考案では上部下部を２つに分離して作製し、口部上部と下部は左右の端で接合することで口部奥の上部と下部の間に物を入れるための入り口を設け、ここから積木等、食べ物に見立てられる物を入れ、食べさせる真似ができるようにした。しかも構成が簡素で誰でも演じられる。【選択図】図１
0003115272.tif 000002
【実用新案登録請求の範囲】
【請求項１】
手指によって口部が開閉するように構成したハンドパペットにおいて、口部上部（上あご）と口部下部（下あご）を口の両脇で接合し、口奥の一部は接合せずに、積木などハンドパペットの食べ物に見立てられる物を入れるための入り口を設けて、ハンドパペットに食べさせる真似遊びができるように構成したことを特徴とするハンドパペット。
【考案の詳細な説明】
【技術分野】
【０００１】  本考案は、手指によって口部が開閉するハンドパペットにおいて、ハンドパペットの口部奥から積木などハンドパペットの食べ物に見立てられる物を入れて、ハンドパペットに食べさせる真似遊びができるよう構成したことを特徴とするハンドパペットに関する。
【背景技術】
【０００２】  従来、手指によって口部が開閉するハンドパペットにおいて、食べるという口の動作をする場合では、操作する者がハンドパペットの口をパクパクと開閉させて、いかにも食べたように演じるしかなかった。
【考案の開示】
【考案が解決しようとする課題】
【０００３】  前述のようにハンドパペットがいかにも食べたように演じる場合、演じ手の技量が必要であり、初めてハンドパペットを扱う親や、子どもには難しかった。本考案はハンドパペットを初めて扱う者でも、子どもでも、場所を選ばず手軽に、ハンドパペットが食べたように見せられるように、装置などを使わずごく単純な構造で解決しようとするものである。
【課題を解決するための手段】
【０００４】  従来の手指によって口部が開閉するハンドパペットの口部構造は、口部上部に配された口上片と、口部下部に配された口下片が、ひらがなのくの字のように中折れできるような折りぐせのある芯地を使い、一体的に形成されている。本考案では、その上片、下片を２つのパーツに分離して作製し、口部上部と下部は、口部の左右の端で接合する手段を採用したため、口部奥の上部と下部の間に物を入れるための入り口を設けられる。この入り口から、積木などハンドパペットの食べ物に見立てられる物を入れ、ハンドパペットに食べさせる真似遊びができる。また本考案の口部構造は、普通にハンドパペットを操作している時、口部奥の入り口は口部上部と下部が一体的に見えるため、気付かれにくい。しかも構成が簡素で、子どもでもすぐに理解してハンドパペットに食べさせる真似遊びが演じられるという点でも問題点を解決している。
【考案の効果】
【０００５】  上記のように本考案のハンドパペットでは、口部奥に物を入れる入り口があるというごく単純な手段でありながら、パペットの口を大きく開いても、口の上面と下面が離れていることは見えにくく、気づかれない。しかし、もう片方の手で積木などをハンドパペットの口に押し入れてやると、口の離れている隙間から、積木などがハンドパペットの中の手に飲み込まれていく。乳幼児だと、どうして人形が積木を食べてしまったのかわからないほど、興味を持って見るので、保育園、幼稚園などで食事の大切さを語る時や、病院で薬を飲むことを優しく教えたい時など、誰でも簡単にこのパペットを操ることができ、楽しませることができる。また本考案の構造は、口部奥に入り口を設けるだけの簡素な構成であるから、クマや犬やカエルなど口のある色々な動物に容易に応用できる。
【図面の簡単な説明】
【０００６】
【図１】本考案のハンドパペットを例示する斜視図である。
【符号の説明】
【０００７】Ａ  パペットの口部上部（上あご）
Ｂ  パペットの口部上部と下部の間にできる物を入れられる入り口部分
Ｃ  パペットの口部下部（下あご）
１  上部と下部を接合する左端
２  上部と下部を接合する右端
【図１】
0003115272.tif 000003
(57)【要約】      （修正有）【課題】写真（遺影を含む）又は肖像画を、どのような場所にでも違和感なく設置、展示できる額の提供。【解決手段】彩色し厚みのある額に写真（遺影を含む）、又は肖像画を収め、その上に造花類、関連品をそれぞれに応じた方法で固定、装飾した台紙を重ねる。その上をガラス、又は透明プラスチック等で覆い、汚れ、湿気などを防いだ額。【選択図】図２
0003115277.tif 000002
【実用新案登録請求の範囲】
【請求項１】
厚みのある額内部に写真（遺影も含む）又は肖像画を配置し、その上に周囲を布製造花、ドライフラワー、その他一般的造花で装飾し固定した台紙を重ねて収納した額。
【請求項２】
請求項２に加え、写真（遺影も含む）又は肖像画本人に関連の品も同時に装飾し固定した台紙を重ねて収納した額。
【考案の詳細な説明】
【技術分野】
【０００１】  写真（遺影を含む）、肖像画等の上に造花類、関連品を装飾し固定した台紙を重ねて収納した額に関する。
【背景技術】
【０００２】  従来の写真（遺影を含む）、肖像画の額は平面的なものであり、特に遺影などの場合は設置場所がある程度限られてしまう事が多かった。
【考案の開示】
【考案が解決しようとする課題】
【０００３】  これまではある程度設置場所にある程度の制限があった写真（遺影を含む）又は肖像画の額を、どのような場所にでも違和感なく設置、展示できる額。
【課題を解決するための手段】
【０００４】  厚みのある額に収めた写真（遺影を含む）又は肖像画の上に、周囲を布製造花、ドライフラワー、一般的造花等と、関連品を、固定した台紙を重ね、ガラス、又は透明プラスチックなどで覆い収納する額。
【考案の効果】
【０００５】  厚みのある額に収納した本考案品は従来の物とは異なり、写真（遺影を含む）又は肖像画に装飾品を固定した台紙を重ねて収納した奥行きのある、立体的な額となる。
その為、室内装飾品、インテリア額として設置箇所を限定されることなく展示することが可能である。【０００６】  又、写真の場合従来の遺影額とは異なり、額のフレームについても黒一色ではなく、故人の雰囲気に合わせた色彩の額を使用し室内の雰囲気を壊すことなく、どのような場所にでも設置、展示することが出来る。【０００７】  周囲の装飾は造花類とともに、関連品を配置することで、遺影の場合は故人との思い出も同時に、保存し、立体的なインテリアとして設置、展示することが出来る。
【考案を実施するための最良の手段】
【０００８】  これまでの額とは異なり、黒一色ではなく、彩色され厚みのある額に写真（遺影を含む）、又は肖像画を収め、その上に造花類、関連品をそれぞれに応じた方法で固定、装飾した台紙を重ねる。その上をガラス、又は透明プラスチック等で覆い、汚れ、湿気などを防ぐ。
【産業上の利用分野】
【０００９】  この額は、これまでの肖像写真、遺影、肖像画とは異なり室内のインテリア、雰囲気を損なうことなく設置、展示することが可能である。特に遺影の場合は従来の暗い、平面的なものとは異なり、明るい色彩で作られ、装飾固定された造花、関連品で立体的に構成され、故人の思い出を写真と共に収められた物として室内のどのような場所にでも設置、展示することが出来る。
【図面の簡単な説明】
【００１０】
【図１】  本考案の第１の実施。写真（遺影を含む）又は肖像画と造花類を装飾、固定して収めた額の斜視図。
【図２】  本考案の第２の実施。写真（遺影を含む）又は肖像画と造花類及び関連品を装飾、固定して収めた額の正面図。
【図３】  本考案の第１、及び第２の実施の断層図。
【符号の説明】
【００１１】１−造花    ２−写真（遺影を含む）又は肖像画    ３−装飾品固定用台紙
４−額    ５−造花    ６−写真（遺影を含む）又は肖像画    ７−関連品
８−装飾品固定用台紙    ９−額    １０−額
１１−ガラス又は透明プラスチック    １２−造花    １３−装飾品固定用台紙
１４−写真（遺影を含む）又は肖像画    １５−額台紙
【図１】
0003115277.tif 000003
【図２】
0003115277.tif 000004
【図３】
0003115277.tif 000005
(57)【要約】【課題】本考案は、癒し効果を得られるよう最大限の機能を活かした装飾体である。通常は、元の光源と同じ色でしか色を表現できないが、一般的な色を用いながら、癒し効果を十分発揮できる色を表現し、素材の特長である反射拡散効果を活かしてやわらかな光を表現する装飾体を提供する。【手段】ガラス色の透明素材（１）に彫刻を施し、乳白色の素材（２）と組み合わせ、ＬＥＤ等の白色や電球色の発光体（３）で照射する。【選択図】図２
0003115279.tif 000002
【実用新案登録請求の範囲】
【請求項１】
乳白色の素材とガラス色の透明素材を組み合わせ、レーザー加工機や電動ルーター等を用いて彫刻を施し、ＬＥＤ等の白色や電球色の発光体で照射させ、元の光源色とは違う色を表現する装飾体
【考案の詳細な説明】
【考案の詳細な説明】
【技術分野】
【０００１】  この考案は、彫刻を施した装飾体に関するものである。
【背景技術】
【０００２】  従来、様々な素材に彫刻を施し、看板、ピクトサインや装飾体として利用したり、さらに様々な色の発光体を用いて照射して利用するというものはある。
【考案が解決しようとする課題】
【０００３】  様々な素材に彫刻を施し、看板、ピクトサインや装飾体として利用したり、それを照射したりするものはあったが、照射された看板、ピクトサインや装飾体は光源と同じ色で表現されるのみである。
本考案は、この点に着目し、一般的な光源色を用いながら、元の光源色とは違う色を表現し、さらに装飾体としての機能を最大限に活かし、癒し効果をも得られるようなされたものである。
【課題を解決するための手段】
【０００４】  ガラス色の透明素材（１）に彫刻を施し、乳白色の素材（２）と組み合わせた物をＬＥＤ等の白色や電球色の発光体（３）で照射する。
本考案は、以上の構成よりなる装飾体ある。
【考案を実施するための最良の形態】
【０００５】  以下、本考案の実施の形態を説明する。
ガラス色の透明素材（１）にレーザー加工機や電動ルーター等を用いて彫刻を施し、乳白色の素材（２）と組み合わせ、ＬＥＤ等の白色や電球色の発光体（３）で照射すると元の光源色とは違う癒しを感じさせるやわらかな光と色を表現することができる。
本考案は、以上の構成よりなる。
【考案の効果】
【０００６】  本考案により製作された装飾体は、白色や電球色といった一般的な色の発光体を利用しているが、表現される色は、癒しを感じられる淡いブルーであり、さらに素材の特長である反射拡散効果により、やわらかな光が表現でき、装飾体としての価値がよりいっそう高められる。
【図面の簡単な説明】
【図１】  本考案の組み合わせ方の図
【図２】  本考案の斜視図
【符号の説明】
（１）ガラス色の透明素材、（２）乳白色の素材、（３）ＬＥＤ等の白色や電球色の発光体
【図１】
0003115279.tif 000003
【図２】
0003115279.tif 000004